(57)【特許請求の範囲】
【請求項１】
一定の長さを有する刺繍糸を所定径で複数回にわたって巻回して巻き束を形成するとともに、前記巻き束のほぼ中央付近で束ねてリボン状として両側にループ群を形成するとともに束ねた部分を中心として前記両側に形成したループ群を互いに折り重ねて刺繍体を形成し、次いで、前記刺繍体の前記ループ群を互いに折り重ねて形成した折曲部において基布に止糸で縫い付けるとともに、前記折曲部を前記止糸とともに別の刺繍糸でステッチして覆うことを特徴とする刺繍の形成方法。
【請求項２】
前記請求項１に記載の刺繍の形成方法において、更に前記各ループ群をカットして房状にすることを特徴とする刺繍の形成方法。
【発明の詳細な説明】
【０００１】
【発明の属する技術分野】
本発明は、刺繍、特に立体的な刺繍の形成方法に関するものである。
【０００２】
【従来の技術】
１７世紀のヨーロッパにおいて流行したいわゆるスタンプワークと云われた刺繍が知られており、この刺繍は図柄を立体的に表すものであり、きわめて興味深いものである。
【０００３】
そして、このスタンプワークは基本的に、基布に芯になる糸を渡し、その上に糸をかけてステッチすることにより立体的に刺繍するものである。
【０００４】
また、図５（ａ）に示すように多数のループ或いは図５（ｂ）に示すように多数の植糸により房状に形成して立体的に表現するステッチも知られており、例えば、花弁や動物、風景画などの刺繍に多く用いられている。
【０００５】
【発明が解決しようとする課題】
しかしながら、前記、従来の房状を形成して立体的に表現する刺繍は、図６に示すように、例えばスミルナ・ステッチという手法を用いていた。
【０００６】
このスミルナ・ステッチは、最初に表側から刺した刺繍糸を進行方向と反対側へ戻して再び表側に出した後、進行側に一定間隔で刺し、これを再び前記最初に刺した位置の進行側に隣接状態で刺して表側に出し、ここで所定の大きさのループを形成して一工程とするものであり、これを繰り返して横、更には縦方向に多数のループを形成するものであり、更に房状とする場合には各ループをカットする。
【０００７】
従って、ステッチが複雑であり、習得が容易でないため熟練を要し広く普及しないという問題があり、また、連続して形成したループを切断して房状に形成するためステッチがしっかりしていないと抜けてしまうという問題もある。
【０００８】
本発明はこのような実情に鑑みてなされたものであり、熟練者でなくとも極めて簡単且つ迅速にループ状や房状を有する立体的な刺繍を形成することが可能であり、また、形成した刺繍も確実に基布に固定されて取れたり、抜けたりすることのない立体刺繍（スタンプワーク）を提供することができるものである。
【０００９】
【課題を解決するための手段】
前記課題を解決するため、本発明である刺繍の形成方法は、 一定の長さを有する刺繍糸を所定径で複数回にわたって巻回して巻き束を形成するとともに、前記巻き束のほぼ中央付近で束ねてリボン状として両側にループ群を形成するとともに束ねた部分を中心として前記両側に形成したループ群を互いに折り重ねて刺繍体を形成し、次いで、前記刺繍体の前記ループ群を互いに折り重ねて形成した折曲部において基布に止糸で縫い付けるとともに、前記折曲部を前記止糸とともに別の刺繍糸でステッチして覆うことを特徴とする。
【００１０】
このように本発明では、所望の大きさならびに数のループによるループ群を形成した刺繍体を、止め糸で基布に縫い付けた後、各ループをカットして所望の房状とすることから、従来のステッチのように、多数のループを形成しながら刺繍糸を基布に差し込む必要がなく、簡単且つ迅速に所望の形状を呈するループ状或いは房状の立体刺繍を形成することができる。また、刺繍体は基布の所定位置に止糸で縫い付けるので確実に固定されるばかりか、殊に、止糸が、後に形成される各房の基部を結束状態で保持するので各房か抜け落ちる心配もない。
【００１１】
【発明の実施の形態】
次に、本発明の実施の形態について図面を参照して説明する。
【００１２】
図１は花を図柄とした場合の本発明の好ましい実施の形態の一例を示すものであり、最初に図１（ａ）に示すように、一定の長さを有する花弁部分を形成するための例えば赤色や黄色などの刺繍糸１を所定径で複数回にわたって巻回した巻き束２を形成する。
【００１３】
次に、図１（ｂ）に示すように前記巻き束２を形成する刺繍糸１の巻き端部１１を用いて巻き束２のほぼ中央付近で束ねてリボン状にして両側にループ群３，３を形成するとともに図１（ｃ）に示すように、前記束ねた部分を中心としてループ群３，３を互いに折り重ねてほぼ扇型の刺繍体４を形成する。
【００１４】
次いで、図１（ｄ）に示すように、刺繍体４を折曲部４１において基布５の所望位置に止糸６で縫い付ける。この止糸６は例えば木綿糸のように強靱で緩みのないものを用いるのが好ましく、また、図示するように折曲部４１を確実に束ねるとともに折曲部４１が移動したり取れたりしないように確実に緊縛する。
【００１５】
そして、図１（ｅ）に示すように、折曲部４１を止糸６とともに別の例えば緑色系の刺繍糸でステッチして覆い額部分７形成する。このとき、額の部分は、従来周知の基布に芯になる糸を渡し、その上に糸をかけてステッチすることにより立体的に刺繍するスタンプ・ワークの手法を用いると刺繍全体が立体的となるので好ましいが、止糸６を隠蔽して額の部分を形成可能であればステッチの手段は問わない。
【００１６】
更に、図１（ｆ）に示すように、前記額部分７と同様に茎部分８ならびに葉部分９をステッチすればループ状の花弁を有する花柄の立体刺繍（スタンプワーク）が完成する。また、更に、ループ群３を形成している各ループ３１を例えば鋏などを用いてそれぞれカットすれば図１（ｇ）に示すように、房状の花弁を有する花柄の立体刺繍が完成する。
【００１７】
尚、このとき、各ループ３１をそれぞれ個別にカットしても良いが、例えば図２（ａ）に示すように平滑に、或いは図２（ｂ）に示すように山型に、或いは図２（ｃ）に示すように谷型などにカットすることにより花の部分の大きさや型を極めて簡単に変化させることができる。
【００１８】
本実施の形態によれば、ループ状や房状のステッチを有する立体刺繍が、熟練者でなくとも簡単且つ確実に形成される。殊に、はじめのループ群３を形成する際の各ループ３１の長さや巻き数、更には各ループ３１のカットの仕方を変化させることで所望の形のものが簡単に形成できるばかりか、刺繍体４１は止糸６により確実に固定されているので後に移動したり、取れたり或いは房の部分が抜け落ちたりする心配もない。
【００１９】
尚、本実施の形態では、額部分７、茎部分８ならびに葉部分９をステッチした後、各ループをカットして房状にしたため、花柄全体のバランスを考慮して各ループ３１をカットすることができるが、少なくとも刺繍体４を基布５に縫いつけた後であれば各ループ３１をカットする順序は問わない。
【００２０】
また、図３は本発明の異なる実施の形態を示すものであり、前記図１に示した実施の形態では側方から観た花を図柄としたが、本実施の形態では花弁を正面から観た花の図柄を用いて立体的刺繍を形成したものであり、図３（ａ）に示すように、前記実施の形態と同様の手法により形成した各刺繍体４１を前記実施の形態と同様にして刺繍体４１の基布５へ止糸６を用いて止着するが、例えば４個の扇型の刺繍体４をそれらの基端部を中心として円形になるように止着する。そして、図３（ｂ）に示すように、各基端部にわたって、例えば異なる色彩の刺繍糸により前記図１に示した額部分や葉部分などと同様に従来のステッチを用いて隠蔽して芯７１として図３（ａ）に示すようにループ状の花弁を有する花柄の立体刺繍を形成することができ、更には、各ループ３１の部分を所望の長さにカットすれば房状の花弁を有する花柄の立体刺繍が完成する。更に、必要であれば、茎部分や葉部分をステッチする。
【００２１】
更に、図４は本発明の更に異なる実施の形態を示すものであり、本実施の形態では、図４（ａ）に示すように、前記実施の形態と同様の手法により形成した多数の刺繍体４１を、横列更には縦列に重ねて配置することにより、広い範囲にわたってループを形成することができるものであり、更に、図４（ｂ）に示すように、それぞれの刺繍体４１を構成する各ループ３１をカットすることにより、広い範囲にわたって房状を形成することもでき、このようにして縦列或いは横列の刺繍体４１の数を選択することにより、図柄について所望の領域にわたってループ状或いは房状に形成することができる。
【００２２】
以上のように、本発明によれば、所望の形や領域についてループ状或いは房状を有する立体刺繍が極めて簡単に形成可能である。
【００２３】
尚、本発明の実施の形態はこれらに限るものでなく、例えば植物、動物、建物、風景などループ状或いは房状で立体的に表す部分があるものであれば同様にして実施できることは云うまでもない。
【００２４】
【発明の効果】
以上のように、本発明によれば、従来のループ状或いは房状の立体刺繍を形成するためのステッチのように複雑な差し方を必要としないので、熟練者でなくとも、極めて簡単且つ迅速に所望の形状を呈する房状の立体刺繍を形成することができる。
また、刺繍体は基布の所定位置に止糸で縫い付けるので確実に固定されるばかりか、殊に、止糸が、後に形成される各房の基部を結束状態で保持するので各房か抜け落ちる心配もない。
【００２５】
また、刺繍体を形成する刺繍糸の種類、品質を選択したり、ループの長さや巻き数を変化させ、更には、ループのカットの仕方を工夫することにより、極めて簡単に植物や動物に限ることなく多くの図柄に対応させることができる。
【図面の簡単な説明】
【図１】本発明の好ましい実施の形態の一例を示す工程図。
【図２】図１に示した実施の形態においてループをカットする工程を示す説明図。
【図３】本発明の異なる実施の形態を示す工程図。
【図４】本発明の更に異なる実施の形態を示す工程図。
【図５】従来例を示す説明図。
【図６】従来例における刺繍の工程を示す説明図。
【符号の説明】
１  刺繍糸、２  巻き束、３  ループ群、４  刺繍体、５  基布、  ６  止糸、８  刺繍糸、３１  ループ、４１  折曲部
【図１】
0004642979.tif 000002
【図２】
0004642979.tif 000003
【図３】
0004642979.tif 000004
【図４】
0004642979.tif 000005
【図５】
0004642979.tif 000006
【図６】
0004642979.tif 000007